(57)【特許請求の範囲】
【請求項１】
手で把持する長手形状のグリップ部と、
ばね性を有する材料を用いて形成されて、ゴルフボールを狭持する２つの狭持片と、
を備え、
前記グリップ部は、
前記２つの狭持片を所定の可動方向へ移動自在に支持する可動支持部を備え、
前記可動支持部によって支持された前記２つの狭持片を収納する大きさを有し、
前記２つの狭持片は、
該２つの狭持片の基端が互いに接合されて前記可動支持部に支持され、該２つの狭持片の先端の間が閉じるように付勢されており、
前記可動支持部は、
前記グリップ部の長手方向の一端側を中心に前記２つの狭持片を回動させる回動支持部であり、
前記グリップ部に収納されていた前記２つの狭持片が回動することによって、該２つの狭持片が前記グリップ部から延設された状態になっているとき、前記先端の間にゴルフボールが狭持される、
ことを特徴とするゴルフボール拾得具。
【請求項２】
前記２つの狭持片は、
薄板材を用いてアーム部を有する形状に形成され、前記アーム部よりも先端側に、前記ゴルフボールを挿入して狭持する狭持孔を有し、
重ね合わせた該２つの狭持片の前記基端が接合されている、
ことを特徴とする請求項１に記載のゴルフボール拾得具。
【請求項３】
手で把持する長手形状のグリップ部と、
ばね性を有する薄板材を用いてアーム部を有する形状に形成され、前記アーム部よりも先端側に設けた狭持孔にゴルフボールを挿入して狭持する２つの狭持片と、
を備え、
前記グリップ部は、
前記２つの狭持片を所定の可動方向へ移動自在に支持する可動支持部を備え、
前記可動支持部によって支持された前記２つの狭持片を収納する大きさを有し、
前記２つの狭持片は、
重ね合わせた該２つの狭持片の基端が互いに接合されて前記可動支持部に支持され、該重ね合わせた２つの狭持片の先端の間が閉じるように付勢されており、
前記グリップ部に収納されていた前記２つの狭持片が前記可動支持部に支持されて移動することによって、前記２つの狭持片が前記グリップ部から延設された状態になっているとき、前記２つの狭持片の各狭持孔に挿入された前記ゴルフボールが前記先端の間に狭持される、
ことを特徴とするゴルフボール拾得具。
【請求項４】
前記可動支持部は、
前記アーム部に当接して前記グリップ部の長手方向に前記２つの狭持片を摺動させる摺動ガイド部であり、
前記２つの狭持片が、前記摺動ガイド部に沿って摺動することによって前記グリップ部から延設された状態になっているときに前記ゴルフボールを狭持する、
ことを特徴とする請求項３に記載のゴルフボール拾得具。
【請求項５】
前記グリップ部は、該ゴルフボール拾得具を他の装備品に取付け固定するクリップ部を備える、
ことを特徴とする請求項１から請求項４のいずれか１項に記載のゴルフボール拾得具。
【請求項６】
前記狭持孔は、前記ゴルフボールの直径よりも小さい孔径を有する、
ことを特徴とする請求項２または請求項３に記載のゴルフボール拾得具。
【請求項７】
前記狭持孔は、該狭持孔に前記ゴルフボールの一部分が挿入され、前記２つの狭持片の先端の間に前記ゴルフボールが狭持されたとき、該２つの狭持片がそれぞれ弓形に撓む略楕円形状に形成されている、
ことを特徴とする請求項２または請求項３に記載のゴルフボール拾得具。
【請求項８】
前記２つの狭持片は、該重ね合わせた各狭持片の先端側が開くように反り返っている、
ことを特徴とする請求項２または請求項３に記載のゴルフボール拾得具。
【請求項９】
前記２つの狭持片は、該各狭持片の先端が、該重ね合わせた各狭持片が開く方向へ折り曲げられている、
ことを特徴とする請求項２または請求項３に記載のゴルフボール拾得具。
【発明の詳細な説明】
【技術分野】
【０００１】
本開示は、ゴルフボールを拾い上げる際に用いるゴルフボール拾得具に関する。
【背景技術】
【０００２】
これまでのゴルフ競技のルールでは、ボールがグリーン上のカップに入る際には、旗竿（ピン）をカップから抜いておくことが定められていたが、ルール改定によってピンをカップに挿したままでプレイを行うことが可能になった。
カップは、直径１０８［ｍｍ］、深さ１０１．６［ｍｍ］以上と規定されている。また、日本において、ピンは、長さ２．１３［ｍ］以上のものが推奨されている。なお、ピンの直径は規定されていないが、一般的には、上記の長さに対応した（十分な強度が得られる）、適当な太さのピンが用いられている。
上記サイズのカップにピンを挿した状態において、当該カップに直径４２．６７［ｍｍ］以上のゴルフボールが入ると、特に、手の大きな男性は、カップの中に手を入れてボールを取り出すことが困難になる場合がある。また、カップ内に手を入れたときに、指や手の甲などに傷がついてしまう場合がある。【０００３】
そこで、カップ内に手を入れることなくゴルフボールを取り出す拾得具が提案されている（例えば、特許文献１参照）。
この拾得具は、ゴルフボールを狭持する弾性狭持部と、ゴルフクラブのグリップエンドに弾性狭持部を装着するバンド部によって構成されている。
弾性狭持部は、ステンレスなどの金属線を環状（リング部）に形成し、一対のリング部を対向配置して構成されている。対向配置されたリング部は、当該リング部の間に設けられた連結部によって連結されている。
連結部は、リング部間を押し広げる弾性を備えており、接着剤の塗布や縫い付けなどによってバンド部に取り付けられている。
バンド部は、帯状弾性部材を環状に形成したもので、ゴルフクラブのグリップエンドに着脱自在に構成されている。【０００４】
この拾得具を使用する場合には、バンド部を任意のゴルフクラブのグリップエンドに装着し、グリップエンドから突出しているリング部をカップの中へ挿入する。
リング部をカップの奥底側へ押し込むと、カップ内のゴルフボールにリング部が当接し、一対のリング部の間が押し広げられてゴルフボールが挟み込まれる。
この状態で、グリップエンドを上方へ持ち上げ、カップからゴルフボールを取り出す。
【先行技術文献】
【特許文献】
【０００５】
【特許文献１】登録実用新案第３１１０２８１号公報
【発明の概要】
【発明が解決しようとする課題】
【０００６】
従来のゴルフボール拾得具は以上のように構成されているので、ボールをカップから拾得する際にはゴルフクラブに装着し、ゴルフクラブでボールを打つ際には当該ゴルフクラブから取り外しておくことが必要になる。
即ち、ゴルフコース内を移動しながら、もしくは、ゴルフプレイ中に、頻繁にゴルフゴール拾得具の着脱を行うことになる。また、例えば、ゴルフクラブから取り外した際にゴルフボール拾得具を置いた場所（収納した場所）を忘れてしまい、紛失することも考えられる。
また、無理のない姿勢でカップからボールを拾い上げるためには、例えば長い柄を備える必要があるが、ボール拾得に適した長さの拾得具は、ゴルフプレイ中の携帯に不便を感じることがある。【０００７】
本開示は、上記のような問題点に鑑みなされたもので、ゴルフボールを拾得する際には適当な長さになり、また、携帯するときには長さを短くすることができるゴルフボール拾得具を提供する。
【課題を解決するための手段】
【０００８】
本開示に係るゴルフボール拾得具は、手で把持する長手形状のグリップ部と、ばね性を有する材料を用いて形成されて、ゴルフボールを狭持する２つの狭持片とを備え、前記グリップ部は、前記２つの狭持片を所定の可動方向へ移動自在に支持する可動支持部を備え、前記可動支持部によって支持された前記２つの狭持片を収納する大きさを有し、前記２つの狭持片は、該２つの狭持片の基端が互いに接合されて前記可動支持部に支持され、該２つの狭持片の先端の間が閉じるように付勢されており、前記可動支持部は、前記グリップ部の長手方向の一端側を中心に前記２つの狭持片を回動させる回動支持部であり、前記グリップ部に収納されていた前記２つの狭持片が回動することによって、該２つの狭持片が前記グリップ部から延設された状態になっているとき、前記先端の間にゴルフボールが狭持されることを特徴とする。
【発明の効果】
【０００９】
本開示によれば、全長を可変とすることにより、携帯に便利であるとともに、無理のない姿勢でボールを拾得することができる。
【図面の簡単な説明】
【００１０】
【図１】本開示の実施例１によるゴルフボール拾得具の構成を示す説明図である。
【図２】図１のゴルフボール拾得具を側方から見た場合の構成を示す説明図である。
【図３】本実施例１のゴルフボール拾得具がゴルフボールを狭持したときの態様を示す説明図である。
【図４】ゴルフボールを狭持した図３のゴルフボール拾得具を側方から見たときの態様を示す説明図である。
【図５】本実施例１のゴルフボール拾得具がカップの中からゴルフボールを拾得する状態を示す説明図である。
【図６】本開示の実施例２によるゴルフボール拾得具の構成を示す説明図である。
【図７】図６のゴルフボール拾得具を側方から見た場合の構成を示す説明図である。
【発明を実施するための形態】
【００１１】
本開示のゴルフボール拾得具は、ばね性を有する材料によって２つの狭持片を形成し、グリップ部に可動支持部を設けて２つの狭持片を移動自在に支持し、該２つの狭持片を移動させることによって前記グリップ部に収納するように構成されている。
前記２つの狭持片は、一端を互いに接合固定して前記可動支持部に支持させており、該２つの狭持片の他端の間が閉じるように付勢されている。そして、該付勢された他端の間にゴルフボールを狭持する。
【００１２】
前記可動支持部は、前記グリップ部の長手方向に前記２つの狭持片を摺動させる摺動ガイド部、または、前記グリップ部の長手方向の一端側を中心に前記２つの狭持片を回動させる回動支持部である。
【００１３】
前記グリップ部は、該ゴルフボール拾得具を他の装備品に取付け固定するクリップ部を備えている。
【００１４】
前記狭持片は、前記他端の先端側に前記ゴルフボールが挿入される狭持孔を有し、前記狭持孔は、前記ゴルフボールの直径よりも小さい孔径を有している。
【００１５】
前記狭持孔は、該狭持孔に前記ゴルフボールの一部分が挿入され、前記２つの狭持片の他端間に前記ゴルフボールが狭持されたとき、該２つの狭持片がそれぞれ弓形に撓む略楕円状に形成されている。
【００１６】
前記２つの狭持片は、該２つの狭持片を重ね合わせたとき、該各狭持片の他端側が開くように反り返っている。
【００１７】
前記２つの狭持片は、該各狭持片の他端の先端部分が、該重ね合わせた各狭持片が開く方向へ折り曲げられている。
【００１８】
以下、この発明の実施の一形態を説明する。
（実施例１）
図1は、本開示の実施例１による拾得具１の構成を示す説明図である。図１は、ゴルフボールに当接する狭持孔１４ａまたは狭持孔１４ｂを正面視した場合の、拾得具１の構成を示している。図２は、図１の拾得具１を側方から見た場合の構成を示す説明図である。
拾得具１は、手のひらで把持することが可能な長手形状のグリップ部１０と、グリップ部１０に支持され、先端でゴルフボールを狭持するように構成された狭持片１１ａ，１１ｂと、例えば、パターカバー、使用者の腰ベルトなどの装備品に拾得具１を着脱可能に取り付け固定するクリップ部１６等によって構成されている。
【００１９】
グリップ部１０は、把持などによって変形することのない剛性を備えた材料を用いて形成され、例えば、金属製、硬質樹脂製等の板材を適当な形状に加工し、狭持片１１ａ，１１ｂを収納することができる長さに形成されている。
また、グリップ部１０は、狭持片１１ａ，１１ｂを支持するとともに、当該グリップ部１０の長手方向に摺動させる摺動ガイド部１７（可動支持部）を備えている。
摺動ガイド部１７は、例えば、グリップ部１０の長手方向に沿った縁辺部分を折り曲げて形成されたもので、長手方向に延設された両側の縁辺を同じ側に折り曲げて、狭持片１１ａ，１１ｂを挟み込んで（摺動可能な程度に隙間を有して）支持するように形成されている。
なお、例えば、摺動ガイド部１７にラッチ機構などの位置決め機構を備え、図１ならびに図２に実線で示した狭持片１１ａ，１１ｂの位置に、当該狭持片１１ａ，１１ｂを位置決め固定し、また、図中、二点鎖線で示した狭持片１１ａ，１１ｂの位置に、当該狭持片１１ａ，１１ｂを位置決め固定するように構成してもよい。
【００２０】
狭持片１１ａ，１１ｂは、互いに重ね合わせられて、例えば、接着剤等を用いて、各狭持片１１ａ，１１ｂの一端側（基端側）の部位が接合（接着）固定されている。
狭持片１１ａ，１１ｂは、ばね性を有する、例えば、金属製または樹脂製の薄板材を用いて形成されており、当該狭持片１１ａ，１１ｂを重ね合わせて一端側（基端側）を接合固定することにより、他端側（先端側）を閉じるように付勢が生じる。
狭持片１１ａ，１１ｂは、概ね同様な形状に（狭持片１１ａと狭持片１１ｂを重ね合わせたとき、厚み方向において対称形状となるように）形成されている。
即ち、アーム部１２ｂはアーム部１２ａと同様な大きさ形状をしており、狭持部位１３ｂは狭持部位１３ａと同様な大きさ形状をしている。
また、狭持孔１４ｂは狭持孔１４ａと同様な大きさ形状をしており、先端部１５ｂは先端部１５ａと同様な大きさ形状をしている。
ここでは、狭持片１１ａの構成を例示して説明する。
【００２１】
狭持片１１ａは、グリップ部１０の摺動ガイド部１７に当接させるアーム部１２ａ、拾い上げるゴルフボールと当接する（ゴルフボールの一部分を挿入する）狭持孔１４ａを設けた狭持部位１３ａを有する。
狭持部位１３ａは、アーム部１２ａから延設された部位であり、アーム部１２ａよりも狭持片１１ａの他端側（先端側）の部分である。
狭持部位１３ａは、前述の接着剤などによる接合固定が施されておらず、容易に撓むことを可能にした部位であり、若干、先端側が反り返るように形成されている。即ち、狭持片１１ａと狭持片１１ｂとを重ね合わせたとき、当該狭持片１１ａ，１１ｂの先端側が開くように形成されている。
【００２２】
狭持孔１４ａは、狭持部位１３ａの先端側（反り返った部分）に設けられ、ゴルフボールの直径よりも小さい孔径を有する貫通孔で、真円とは異なる孔形状をしており、例えば、狭持片１１ａの幅方向に長軸を有する略楕円形状に形成されている。
詳しくは、狭持孔１４ａは、ゴルフボール２の一の部位が当該狭持孔１４ａの孔内へ入り、また、ゴルフボール２の他の部位が狭持孔１４ｂの孔内に入って、狭持片１１ａ，１１ｂの間、もしくは、狭持部位１３ａ，１３ｂの間に狭持されたとき、先端側が開いた状態の狭持片１１ａ，１１ｂ（狭持部位１３ａ，１３ｂ）が、それぞれ弓形に撓む略楕円形状をしている。
狭持片１１ａ，１１ｂ（狭持部位１３ａ，１３ｂ）が弓形に撓むことにより、当該狭持片１１ａ，１１ｂは、ゴルフボール２に対して強く付勢する（強く狭持する）ことが可能になる。
なお、狭持孔１４ａ，１４ｂを、上記の略楕円形状と同様な機能を有する、例えば、長軸ならびに短軸に相当する大きさ、形状等が、上記の略楕円形状と概ね同様な、略ハート型に形成してもよい。
【００２３】
狭持片１１ａ、もしくは、狭持部位１３ａの先端部１５ａは、略鉛直状に折り曲げ形成されており、狭持片１１ａと狭持片１１ｂを重ね合わせた状態において、各狭持片１１ａ，１１ｂが開くそれぞれの方向に向かって折り曲げられている。
先端部１５ａ等の折り曲げ形状は、具体的には、狭持片１１ａと狭持片１１ｂとを重ね合わせて摺動ガイド部１７に支持させたとき、この状態において先端部１５ａ，１５ｂのいずれか、あるいは両方にゴルフボール２の球面が当接すると、当該ゴルフボール２が先端部１５ａと先端部１５ｂとの間に移動する（導かれる）形状に形成されている。
【００２４】
狭持片１１ａと狭持片１１ｂとを重ね合わせ、これらの基端側を摺動ガイド部１７に支持させたとき、例えば、摺動ガイド部１７から狭持片１１ｂ側が露出するように構成した場合には、当該狭持片１１ｂに突起部１８が設置される。
突起部１８は、例えば、アーム部１２ｂの適当な位置に設けられ、摺動ガイド部１７などによって覆われることなく露出し、グリップ部１０の外側へ向かって突出するように形成されている。
突起部１８は、狭持片１１ａ，１１ｂを摺動させる際に指などを掛けることができる大きさに形成されている。
【００２５】
摺動ガイド部１７に支持された狭持片１１ａ，１１ｂは、図１および図２において、実線で示した位置から二点鎖線で示した位置の間を摺動するように、グリップ部１０に備えられている。
狭持片１１ａ，１１ｂを摺動ガイド部１７に沿って摺動させ、図中、二点鎖線で示した位置に狭持片１１ａ，１１ｂを配置したとき、グリップ部１０の先端部分から、狭支持片１１ａ，１１ｂの先端部１５ａ，１５ｂ、ならびに、その近傍の部分が若干突出する。即ち、グリップ部１０は、概ね狭持片１１ａ，１１ｂを収納することができる大きさ（長さ、幅、厚み）を有している。
【００２６】
拾得具１を携帯する場合には、狭持片１１ａ，１１ｂを摺動させてグリップ部１０に収納し、即ち、狭持片１１ａ，１１ｂを二点鎖線の位置に配置し、拾得具１の全長を短くする。
また、グリップ部１０の後端部分（グリップ部１０の長手方向において、先端部１５ａ，１５ｂが突出する先端部分と対向配置される部分）には、クリップ部１６が設けられている。
拾得具１を携帯する際には、前述のように拾得具１の全長を短くして、例えば、クリップ部１６を用いてパターカバーなどの装備品に装着する。
【００２７】
図３は、拾得具１がゴルフボール２を狭持したときの態様を示す説明図である。また、図４は、ゴルフボール２を狭持した図３の拾得具１を側方から見たときの態様を示す説明図である。
拾得具１によって、ゴルフボール２を狭持する場合には、例えば、摺動ガイド部１７に沿って狭持片１１ａ，１１ｂを摺動させて、グリップ部１０の先端部分からアーム部１２ａ，１２ｂ等を引き出し、狭持部位１３ａ，１３ｂ等が自在に撓むことができる状態にする。即ち、狭持片１１ａ，１１ｂがグリップ部１０から延設された状態とし、拾得具１の全長を長くする。
【００２８】
狭持部位１３ａ，１３ｂ等が撓むことによって、狭持孔１４ａにゴルフボール２の一の部位が挿入され、狭持孔１４ｂにゴルフボール２の他の部位（概ね、一の部位に対向配置される部位）が挿入される。
狭持孔１４ａ，１４ｂにゴルフボール２が挿入されたとき、狭持片１１ａ，１１ｂの先端側が開いて、それぞれ弓形に撓んだ狭持部位１３ａ，１３ｂ等には、概ね対向する２方向からゴルフボール２の中心へ向かう付勢が生じる。
即ち、ゴルフボール２の両側方を挟み込む力が生じ、狭持片１１ａ，１１ｂの間にゴルフボール２が固定される。
【００２９】
図５は、拾得具１がカップ３の中からゴルフボール２を拾得する状態を示す説明図である。この図は、ゴルフコースのグリーンに設けられたカップ３の縦断面を示したもので、カップ３にピン４を挿した状態において、カップ３内部のゴルフボール２を拾得具１によって拾得する態様を示している。
カップ３の中からゴルフボール２を拾い上げるときには、グリップ部１０から狭持片１１ａ，１１ｂを引き出し、狭持片１１ａ，１１ｂの先端側、即ち、狭持部位１３ａ，１３ｂ等が撓み易い状態にする。
この状態の拾得具１を（狭持片１１ａ，１１ｂの先端側から）カップ３に挿入すると、カップ３内部に位置するゴルフボール２の上側部分に、狭持部位１３ａ，１３ｂ、もしくは、先端部１５ａ，１５ｂが当接する。
【００３０】
さらに、拾得具１をカップ３の奥側へ挿入すると、前述のように折り曲げられた先端部１５ａと先端部１５ｂとの間にゴルフボール２が導かれ、当該ゴルフボール２が当接することによって先端部１５ａと先端部１５ｂとの間が開く。このように開いた先端部１５ａと先端部１５ｂとの間、即ち、狭持部位１３ａと狭持部位１３ｂとの間にゴルフボール２が挿入され、狭持孔１４ａにゴルフボール２の一の部位が入り、狭持孔１４ｂにゴルフボール２の他の部位が入る。
狭持孔１４ａ，１４ｂにゴルフボール２の各部分が入ると、狭持部位１３ａ，１３ｂ等が弓形に撓み、狭持部位１３ａ，１３ｂ等に生じる付勢によってゴルフボール２が狭持される。
この状態で、拾得具１、もしくは、狭持片１１ａ，１１ｂを上方へ引き抜き、カップ３からゴルフボール２を拾得する。
【００３１】
以上のように、本実施例１によれば、狭持片１１ａ，１１ｂを摺動させることにより、グリップ部１０に収容するように構成したので、拾得具１を携帯する場合などには全長を短くすることによって、他の装備品などに当該拾得具１を取り付けることが容易になり、ゴルフプレイの邪魔になることや、当該拾得具１を紛失することを抑制することができる。
また、撓むことが可能な狭持片１１ａ，１１ｂをグリップ部１０に収容することにより、余剰の撓みや曲がり、ねじれなどが狭持片１１ａ，１１ｂに生じることを防ぐことができる。
【００３２】
ここで説明した拾得具１は、摺動ガイド部１７等を備えて狭持片１１ａ，１１ｂをグリップ部１０に収納するように構成されているが、摺動ガイド部１７などを備えることなくグリップ部１０を構成し、当該グリップ部１０に狭持片１１ａ，１１ｂを接合固定して、狭持片１１ａ，１１ｂがグリップ部１０から延設された状態を維持するゴルフボール拾得具を構成してもよい。
また、拾得具１は、薄板状の狭持片１１ａ，１１ｂを備えて構成されているが、例えば、ばね性を備えた線材を用いて、上記の狭持片１１ａ，１１ｂと同様な機能を有する、２つの狭持片等を構成してもよい。
【００３３】
（実施例２）
図６は、本開示の実施例２による拾得具１ａの構成を示す説明図である。図６は、ゴルフボール２（図示省略）に当接する、例えば、狭持孔２４を正面視した場合の、拾得具１ａの構成を示している。図７は、図６の拾得具１ａを側方から見た場合の構成を示す説明図である。
拾得具１ａは、手のひらで把持するグリップ部２０と、グリップ部２０に支持され、先端でゴルフボール２を狭持するように構成された狭持片２１ａ，２１ｂと、例えば、パターカバー、使用者の腰ベルトなどの装備品に拾得具１ａを着脱可能に取り付け固定するクリップ部１６等によって構成されている。
【００３４】
グリップ部２０は、前述のグリップ部１０と同様な材料を用いて形成され、図６および図７において、二点鎖線で示した狭持片２１ａ，２１ｂの位置に、当該狭持部２１ａ，２１ｂを収納することができる長さを有している。
グリップ部２０は、例えば、グリップ部２０の厚み部分となる部位に空隙を備え、当該空隙に狭持部２１ａ，２１ｂを収納することができる形状に形成されている。
具体的には、例えば、グリップ部２０は、二つの板状部材を重ね合わせて一部分を接合し、当該二つの板状部材の間に空隙を設けて狭持部２１ａ，２１ｂを収納するように形成されている。
【００３５】
グリップ部２０は、図６において、破線で示した狭持部２１ａ，２１ｂの基端側を回動自在に支持する回動支持部２６（可動支持部）を備えている。
即ち、回動支持部２６は、例えば、狭持部２１ａ，２１ｂの基端側が位置するグリップ部２０の先端側（一端側）に固定されている。
また、回動支持部２６は、回動軸が、グリップ部２０の厚み方向に対して平行となるように（厚み方向に沿うように）、即ち、回動軸がグリップ２０の長手側面に対して直交するように、当該グリップ部２０に設置されている。
狭持片２１ａ，２１ｂは、前述の狭持片１１ａ，１１ｂと同様な材料によって構成されており、前述のアーム部１２ａ，１２ｂに相当するアーム部２２ａ，２２ｂ、前述の先端部１５ａ，１５ｂに相当する先端部２５ａ，２５ｂを有している。
【００３６】
また、狭持片２１ａ，２１ｂは、前述の狭持部位１３ａ，１３ｂと同様な狭持部位２３ａ，２３ｂを有し、前述の狭持孔１４ａ，１４ｂと同様な形状の狭持孔２４ａ，２４ｂが、狭持部位２３ａ，２３ｂにそれぞれ設けられている。即ち、狭持孔２４ａ，２４ｂは、前述の狭持孔１４ａ，１４ｂと同様に、略楕円形状に形成されており、また、略ハート型に形成してもよい。
狭持片２１ａ，２１ｂは、回動支持部２６を介してグリップ部２０に支持されることにより、例えば、図６の矢印Ａが示す方向（双方向）に回動する。
グリップ部２０に備えるクリップ部１６は、狭持片２１ａ，２１ｂが上記の回動を行うとき、障害とならない位置に設置される。
【００３７】
拾得具１ａを携帯する場合などには、狭持片２１ａ，２１ｂをグリップ部２０へ向かって回動させ、図６等において、２点鎖線で示した位置へ移動させる。２点鎖線で示した位置へ移動させることにより、狭持部２１ａ，２１ｂは、グリップ部２０に収納され、拾得具１ａの全長が短くなる。
ここで例示した拾得具１ａは、グリップ部２０に狭持片２１ａ，２１ｂを収納した場合、グリップ部２０の後端部分（クリップ１６を備えている側）から、狭持部位２３ａ，２３ｂの先端側（反り返るように形成された部分）を露出させた状態となる。
【００３８】
拾得具１ａを使用してゴルフボール２を拾い上げる場合などには、例えば、グリップ部２０に収納されている狭持片２１ａ，２１ｂを回動させて、グリップ部２０と狭持片２１ａ，２１ｂとを直線状に配置した、即ち、グリップ部２０から延設された態様にし、拾得具１ａの全長を長くする。
狭持具１ａは、上記のように全長を長くした場合、実施例１で説明したもの（狭持具１ａ）と同様に、狭持片２１ａと狭持片２１ｂとの間にゴルフボール２を狭持することができる。即ち、狭持部位２３ａ，２３ｂが弓形に撓み、狭持孔２４ａ，２４ｂに、それぞれゴルフボール２の一部分が入り、ゴルフボール２を拾得することができる。
【００３９】
以上のように、本実施例２によれば、狭持片２１ａ，２１ｂを回動させることにより、グリップ部２０に収容するように構成したので、拾得具１ａを携帯する場合などには全長を短くすることによって、他の装備品などに当該拾得具１ａを容易に取り付けることができ、ゴルフプレイの邪魔になることや、当該拾得具１ａを紛失することを抑制することができる。
また、撓むことが可能な狭持片２１ａ，２１ｂをグリップ部２０に収容することにより、余剰の撓みや曲がり、ねじれなどが狭持片２１ａ，２１ｂに生じることを防ぐことができる。
【符号の説明】
【００４０】
１，１ａ拾得具
２ゴルフボール
３カップ
４ピン
１０グリップ部
１１ａ，１１ｂ，２１ａ，２１ｂ狭持片
１２ａ，１２ｂ，２２ａ，２２ｂアーム部
１３ａ，１３ｂ，２３ａ，２３ｂ狭持部位
１４ａ，１４ｂ，２４ａ，２４ｂ狭持孔
１５ａ，１５ｂ，２５ａ，２５ｂ先端部
１６クリップ部
１７摺動ガイド部
１８突起部
２６回動支持部
【要約】
ゴルフボールを拾得する際には適当な長さになり、また、携帯するときには長さを短くすることができるゴルフボール拾得具を提供する。
グリップ部１０は、摺動ガイド部１７に沿って摺動させた狭持片１１ａ，１１ｂを収納する大きさを有し、狭持片１１ａ，１１ｂは、一端が互いに接合固定され、他端の間が閉じるように付勢されており、狭持片１１ａ，１１ｂをグリップ部１０から引き出したとき、狭持片１１ａ，１１ｂの他端の間にゴルフボールを狭持する。【図１】
0006703670.tif 000002
【図２】
0006703670.tif 000003
【図３】
0006703670.tif 000004
【図４】
0006703670.tif 000005
【図５】
0006703670.tif 000006
【図６】
0006703670.tif 000007
【図７】
0006703670.tif 000008